(57)【要約】  軸流ファンは、回転駆動され回転軸を形成するハブと、ハブに接続され、発生させる気流の上流側に位置する前縁部と、気流の下流側に位置する後縁部とを有する翼と、を備え、回転軸と翼とを含む子午面に回転投影させた場合の翼の形状において、前縁部の輪郭線で示される前縁投影部は、気流に対して上流側に凹んだ形状に形成された第１凹部を有し、後縁部の輪郭線で示される後縁投影部は、気流に対して上流側に凹んだ形状に形成された第２凹部を有し、第１凹部の少なくとも一部は、第２凹部よりも径方向の内周側に形成されているものである。
2020234997.tif 000002
【特許請求の範囲】
【請求項１】
回転駆動され回転軸を形成するハブと、
前記ハブに接続され、発生させる気流の上流側に位置する前縁部と、前記気流の下流側に位置する後縁部とを有する翼と、
を備え、
前記回転軸と前記翼とを含む子午面に回転投影させた場合の前記翼の形状において、
前記前縁部の輪郭線で示される前縁投影部は、
前記気流に対して上流側に凹んだ形状に形成された第１凹部を有し、
前記後縁部の輪郭線で示される後縁投影部は、
前記気流に対して上流側に凹んだ形状に形成された第２凹部を有し、
前記第１凹部の少なくとも一部は、
前記第２凹部よりも径方向の内周側に形成されている軸流ファン。
【請求項２】
前記前縁投影部は、
変曲点となる前縁変曲点部を有し、前記気流の上流側と下流側とに弧を描くＳ字形状の曲線で構成されており、
前記第１凹部は、
前記前縁部の前記ハブとの付け根部分である基部と、前記前縁変曲点部との間に形成されており、
前記後縁投影部は、
変曲点となる第１変曲点部を有し、前記気流の上流側と下流側とに弧を描くＳ字形状の曲線で構成された第１Ｓ字部と、
変曲点となる第２変曲点部を有し、前記気流の上流側と下流側とに弧を描くＳ字形状の曲線で構成された第２Ｓ字部と、
を有し、
前記第２凹部は、
前記第１変曲点部と前記第２変曲点部との間に形成されている請求項１に記載の軸流ファン。
【請求項３】
前記前縁変曲点部は、
径方向において、前記第１変曲点部と、前記第２変曲点部との間に位置している請求項２に記載の軸流ファン。
【請求項４】
前記後縁投影部は、
変曲点となる第３変曲点部を有し、前記気流の上流側と下流側とに弧を描くＳ字形状の曲線で構成された第３Ｓ字部を、前記第１Ｓ字部と前記第２Ｓ字部との間に更に有し、
前記第２凹部において、
前記気流に対して上流側に凹んだ形状に形成された第３凹部と、
前記気流に対して上流側に凹んだ形状に形成された第４凹部と、
を有する請求項２又は３に記載の軸流ファン。
【請求項５】
前記第２凹部は、
前記第１凹部よりも径方向の外周側に形成されている請求項１〜４のいずれか１項に記載の軸流ファン。
【請求項６】
前記前縁投影部は、
前記第１凹部において、前記気流の最も上流側に位置する第１極小点部を有し、
前記後縁投影部は、
前記第２凹部において、前記気流の最も上流側に位置する第２極小点部を有し、
前記第２極小点部は、
径方向において、前記第１極小点部よりも外周側に形成されている請求項１〜５のいずれか１項に記載の軸流ファン。
【請求項７】
径方向において、前記第２凹部の幅は、前記第１凹部の幅よりも狭い請求項１〜６のいずれか１項に記載の軸流ファン。
【請求項８】
前記前縁投影部は、
径方向において、前記第１凹部の割合が、前記気流に対して下流側に凹んだ形状に形成された部分の割合よりも多い請求項１〜７のいずれか１項に記載の軸流ファン。
【請求項９】
前記後縁部は、
前記回転軸と平行な方向に見た平面視において、
前記第２凹部を構成する部分の前記後縁部の縁部が前記前縁部側に切り欠かれた状態に形成された切欠部を有する請求項１〜８のいずれか１項に記載の軸流ファン。
【請求項１０】
前記第１凹部を構成する部分の前記前縁部の縁部には、波型のセレーションが形成されている請求項１〜９のいずれか１項に記載の軸流ファン。
【請求項１１】
前記第２凹部を構成する部分の前記後縁部の縁部には、波型のセレーションが形成されている請求項１〜１０のいずれか１項に記載の軸流ファン。
【請求項１２】
前記回転軸の軸方向において、前記第２凹部の深さは、前記第１凹部の深さよりも大きい請求項１〜１１のいずれか１項に記載の軸流ファン。
【請求項１３】
前記翼は、
前記気流の下流側の面を構成する圧力面を有し、
前記圧力面には、前記気流の上流側に凹んだ形状の凹部流路が形成されており、
前記凹部流路は、
前記前縁部と前記後縁部との間に形成されており、
周方向において、前記前縁部側の端部が前記第１凹部を形成する部分により構成されており、前記後縁部側の端部が前記第２凹部を形成する部分により構成されている請求項１〜１２のいずれか１項に記載の軸流ファン。
【請求項１４】
径方向における前記凹部流路の断面において最も上流側に位置する部分であって、前記前縁部と前記後縁部との間で連続した部分として構成された極小点部は、
前記前縁部から前記後縁部にかけて、径方向の外側へ向かう状態に形成されている請求項１３に記載の軸流ファン。
【請求項１５】
請求項１〜１４のいずれか１項に記載の軸流ファンと、
前記軸流ファンに駆動力を付与する駆動源と、
前記軸流ファン及び前記駆動源を収容するケーシングと、を備えた
送風装置。
【請求項１６】
請求項１５に記載の送風装置と、
凝縮器及び蒸発器を有する冷媒回路と、を備え、
前記送風装置は、
前記凝縮器及び前記蒸発器の少なくとも一方に空気を送風する
冷凍サイクル装置。
【発明の詳細な説明】
【技術分野】
【０００１】
本発明は、複数の翼を備えた軸流ファン、当該軸流ファンを備えた送風装置、及び、当該送風装置を備えた冷凍サイクル装置に関するものである。
【背景技術】
【０００２】
従来の軸流ファンは、円筒状のボスの面に沿って複数枚の翼を備えており、ボスに与えられる回転力にともなって翼が回転し、流体を搬送するものである。軸流ファンは、翼が回転することで、翼間に存在している流体が翼面に衝突する。流体が衝突する面は圧力が上昇し、流体を翼が回転する際の中心軸となる回転軸線方向に押し出して移動させる。【０００３】
このような軸流ファンにおいて、従来よりもファン入力の低減を図ることを目的として、気流をすくい取る翼の圧力面側に遠心方向と交差する方向に設けられた凸部を有する軸流ファンが提案されている（例えば、特許文献１参照）。
【先行技術文献】
【特許文献】
【０００４】
【特許文献１】特開２０１６−０５６７７２号公報
【発明の概要】
【発明が解決しようとする課題】
【０００５】
特許文献１の軸流ファンは、翼の外周側において翼表面の法線が外周側を向くため、回転方向の前縁から後縁にかけて気流が翼の外周側に押し出される。しかし、特許文献１の軸流ファンは、翼の外周端に気流の漏れを防ぐ構造がないため、前縁から後縁に向かって翼の圧力面に沿って流れる気流が翼の外周縁から翼の外側に漏れる割合が多くなる。そのため、特許文献１の軸流ファンにおいて、翼の前縁で受けた気流は、翼から気流へ力を効率よく与えられる圧力面の外周側を翼の回転方向に沿って流れにくい。【０００６】
本発明は、上述のような課題を解決するためのものであり、翼の前縁で受けた気流が、翼から気流へ力を効率よく与えられる圧力面の外周側を翼の回転方向に沿って流れやすい軸流ファン、当該軸流ファンを備えた送風装置、及び、当該送風装置を備えた冷凍サイクル装置を提供することを目的とする。
【課題を解決するための手段】
【０００７】
本発明に係る軸流ファンは、回転駆動され回転軸を形成するハブと、ハブに接続され、発生させる気流の上流側に位置する前縁部と、気流の下流側に位置する後縁部とを有する翼と、を備え、回転軸と翼とを含む子午面に回転投影させた場合の翼の形状において、前縁部の輪郭線で示される前縁投影部は、気流に対して上流側に凹んだ形状に形成された第１凹部を有し、後縁部の輪郭線で示される後縁投影部は、気流に対して上流側に凹んだ形状に形成された第２凹部を有し、第１凹部の少なくとも一部は、第２凹部よりも径方向の内周側に形成されているものである。【０００８】
本発明に係る送風装置は、上記構成の軸流ファンと、軸流ファンに駆動力を付与する駆動源と、軸流ファン及び駆動源を収容するケーシングと、を備えたものである。【０００９】
本発明に係る冷凍サイクル装置は、上記構成の送風装置と、凝縮器及び蒸発器を有する冷媒回路と、を備え、送風装置は、凝縮器及び蒸発器の少なくとも一方に空気を送風するものである。
【発明の効果】
【００１０】
本発明によれば、後縁投影部の第２凹部は、前縁投影部の第１凹部よりも径方向の外周側に形成されており、第１凹部の少なくとも一部は、第２凹部よりも径方向の内周側に形成されているものである。そのため、翼の圧力面を流れる気流は、前縁部の第１凹部から後縁部の第２凹部に向かうにつれて径方向の外側に向かい、翼の前縁で受けた気流が、翼から気流へ力を効率よく与えられる圧力面の外周側を翼の回転方向に沿って流れやすくなる。
【図面の簡単な説明】
【００１１】
【図１】実施の形態１に係る軸流ファンの概略構成を示す斜視図である。
【図２】実施の形態１に係る軸流ファンを図１の子午面ＭＰに回転投影した場合の軸流ファンの一例の形状を示す図である。
【図３】実施の形態１に係る軸流ファンを図１の子午面ＭＰに回転投影した場合の軸流ファンの他の一例の形状を示す図である。
【図４】実施の形態１に係る軸流ファンの断面位置を特定する斜視図である。
【図５】子午面ＭＰに回転投影した場合の、図４に示す軸流ファンの断面位置Ａ、断面位置Ｂ及び断面位置Ｃを表す図である。
【図６】回転軸ＲＳに対して垂直方向から見た場合の、断面位置Ａ、断面位置Ｂ及び断面位置Ｃにおける翼の断面を示す図である。
【図７】回転軸ＲＳに対して垂直方向から見た場合の翼の端面の一例を表す図である。
【図８】実施の形態１に係る軸流ファンの凹部流路を示す斜視図である。
【図９】実施の形態１の軸流ファンの翼における気流を模式的に表した子午面図である。
【図１０】実施の形態１の軸流ファンの変形例の翼における気流を模式的に表した子午面図である。
【図１１】実施の形態２に係る軸流ファンを子午面に回転投影した場合の軸流ファンの一例の形状を示す図である。
【図１２】実施の形態３に係る軸流ファンを子午面に回転投影した場合の軸流ファンの一例の形状を示す図である。
【図１３】実施の形態４に係る軸流ファンを子午面に回転投影した場合の軸流ファンの一例の形状を示す図である。
【図１４】実施の形態５に係る軸流ファンの概略構成を示す斜視図である。
【図１５】実施の形態６に係る軸流ファンを子午面に回転投影した場合の軸流ファンの一例の形状を示す図である。
【図１６】実施の形態７に係る軸流ファンを子午面に回転投影した場合の軸流ファンの一例の形状を示す図である。
【図１７】比較例に係る軸流ファンの吹出し気流の態様を表した斜視図である。
【図１８】実施の形態７に係る軸流ファンの吹出し気流の態様を表した斜視図である。
【図１９】実施の形態８に係る軸流ファンの概略構成を示す斜視図である。
【図２０】実施の形態９に係る軸流ファンの概略構成を示す斜視図である。
【図２１】実施の形態１０に係る冷凍サイクル装置の概要図である。
【図２２】送風装置である室外機を、吹出口側から見たときの斜視図である。
【図２３】上面側から室外機の構成を説明するための図である。
【図２４】室外機からファングリルを外した状態を示す図である。
【図２５】室外機からファングリル及び前面パネル等を除去して、内部構成を示す図である。
【発明を実施するための形態】
【００１２】
以下、実施の形態に係る軸流ファン、送風装置、及び、冷凍サイクル装置について図面を参照しながら説明する。なお、図１を含む以下の図面では、各構成部材の相対的な寸法の関係及び形状等が実際のものとは異なる場合がある。また、以下の図面において、同一の符号を付したものは、同一又はこれに相当するものであり、このことは明細書の全文において共通することとする。また、理解を容易にするために方向を表す用語（例えば「上」、「下」、「右」、「左」、「前」、「後」など）を適宜用いるが、それらの表記は、説明の便宜上、そのように記載しているだけであって、装置あるいは部品の配置及び向きを限定するものではない。
【００１３】
実施の形態１．
［軸流ファン１００］
図１は、実施の形態１に係る軸流ファン１００の概略構成を示す斜視図である。なお、図中の矢印で示す回転方向ＤＲは、軸流ファン１００の回転方向ＤＲを示す。また、図中の白抜き矢印で示す方向ＦＬは、気流の流れる方向ＦＬを示している。気流の流れる方向ＦＬにおいて、軸流ファン１００に対してＺ１側は、軸流ファン１００に対して気流の上流側となり、軸流ファン１００に対してＺ２側は、軸流ファン１００に対して気流の下流側となる。すなわち、Ｚ１側は、軸流ファン１００に対して空気の吸込側であり、Ｚ２側は、軸流ファン１００に対して空気の吹出側である。また、Ｙ軸は、軸流ファン１００の回転軸ＲＳに対する径方向を表している。軸流ファン１００に対してＹ２側は、軸流ファン１００の内周側であり、軸流ファン１００に対してＹ１側は、軸流ファン１００の外周側である。
【００１４】
図１を用いて実施の形態１に係る軸流ファンについて説明する。軸流ファン１００は、例えば、空気調和装置又は換気装置などに用いられるものである。図１に示すように、軸流ファン１００は、回転軸ＲＳ上に設けられたハブ１０と、ハブ１０に接続された複数枚の翼２０と、を備える。
【００１５】
（ハブ１０）
ハブ１０は、回転駆動され回転軸ＲＳを形成する。ハブ１０は、回転軸ＲＳを中心に回転する。軸流ファン１００の回転方向ＤＲは、図１中の矢印で示す時計回りの方向である。ただし、軸流ファン１００の回転方向ＤＲは、時計回りに限定されるものではなく、翼２０の取り付け角度を変更した構成にすることによって、反時計回りに回転してもよい。ハブ１０は、モータ（図示は省略）など駆動源の回転軸と接続される。ハブ１０は、例えば、円筒状に構成されてもよく、あるいは、板状に構成されてもよい。ハブ１０は、上述したように駆動源の回転軸と接続されるものであればよく、その形状は限定されるものではない。
【００１６】
（翼２０）
複数の翼２０は、ハブ１０から径方向外側に放射状に延びて構成されている。複数の翼２０は、相互に周方向に離隔して設けられている。実施の形態１においては、翼２０が３枚である態様を例示しているが、翼２０の枚数はこれに限定されない。翼２０において、気流の流れる方向ＦＬに対し、翼２０の上流側（Ｚ１側）の面を負圧面２６と称し、下流側（Ｚ２側）の面を圧力面２５と称する。翼２０は、図１において、翼２０の手前側の面が圧力面２５となり、翼２０の奥側の面が負圧面２６となる。
【００１７】
翼２０は、前縁部２１と、後縁部２２と、外周縁部２３と、内周縁部２４とを有している。前縁部２１は、発生させる気流の上流側（Ｚ１側）に位置し、翼２０において回転方向ＤＲの前進側に形成されている。すなわち、前縁部２１は、回転方向ＤＲにおいて後縁部２２に対して前方に位置している。後縁部２２は、発生させる気流の下流側（Ｚ２側）に位置し、翼２０において回転方向ＤＲの後進側に形成されている。すなわち、後縁部２２は、回転方向ＤＲにおいて前縁部２１に対して後方に位置している。軸流ファン１００は、軸流ファン１００の回転方向ＤＲを向く翼端部として前縁部２１を有し、回転方向ＤＲにおいて前縁部２１に対して反対側の翼端部として後縁部２２を有している。
【００１８】
外周縁部２３は、前縁部２１の最外周部と後縁部２２の最外周部とを接続するように前後に、且つ弧状に延びる部分である。外周縁部２３は、軸流ファン１００において、径方向（Ｙ軸方向）の端部に位置している。内周縁部２４は、前縁部２１の最内周部と後縁部２２の最内周部との間で前後に、且つ弧状に延びる部分である。翼２０は、内周縁部２４がハブ１０の外周に接続されている。
【００１９】
図２は、実施の形態１に係る軸流ファン１００を図１の子午面ＭＰに回転投影した場合の軸流ファン１００の一例の形状を示す図である。図３は、実施の形態１に係る軸流ファン１００を図１の子午面ＭＰに回転投影した場合の軸流ファン１００の他の一例の形状を示す図である。図２及び図３は、回転軸ＲＳと翼２０とを含む子午面ＭＰに回転投影させた場合の軸流ファン１００の翼２０の形状を示している。軸流ファン１００は、子午面ＭＰに回転投影した場合の翼２０が翼投影部２０ａで示され、子午面ＭＰに回転投影した場合のハブ１０が、ハブ投影部１０ａで示される。
【００２０】
図２及び図３に示すように、Ｙ軸で表す横軸を径方向とし、Ｚ軸で表す縦軸を回転軸ＲＳの軸方向とした子午面ＭＰでは、前縁部２１は後縁部２２に対して下方に位置し、後縁部２２は前縁部２１に対して上方に位置する。また、前縁部２１及び後縁部２２は、ハブ１０において翼２０の付け根となる基部１１と外周縁部２３とを結ぶ曲線で構成される
【００２１】
（前縁部２１）
前縁部２１は、回転投影された子午面ＭＰにおいて、Ｓ字形状を含む曲線で構成された前縁投影部２１ａを形成する。前縁投影部２１ａは、軸流ファン１００に対して上流側（Ｚ１側）と下流側（Ｚ２側）とに弧を描くＳ字形状の曲線で構成されている。
【００２２】
前縁投影部２１ａは、Ｓ字の変曲点となる前縁変曲点部Ｓｆ１を有する。前縁変曲点部Ｓｆ１は、回転軸ＲＳに対する垂直な方向、すなわち、軸流ファン１００の径方向において、ハブ１０と外周縁部２３とを結んだ直線Ｌ１の中間位置ＭＬよりも外周縁部２３側に形成されている。
【００２３】
（前縁凹部１２０ａ）
前縁部２１は、前縁凹部１２０ａを有している。前縁凹部１２０ａは、前縁部２１の輪郭線で示される前縁投影部２１ａにおいて、気流に対して上流側（Ｚ１側）に凸形状となるように形成されている。図２及び図３に示すように、前縁部２１の輪郭線で示される前縁投影部２１ａは、気流に対して上流側に凸形状に形成された前縁凹部１２０ａを有している。前縁凹部１２０ａは、軸流ファン１００の第１凹部である。前縁凹部１２０ａは、前縁投影部２１ａにおいて、前縁部２１のハブ１０との付け根部分である前縁基部１１ａと、前縁変曲点部Ｓｆ１との間に形成されている。前縁凹部１２０ａは、前縁投影部２１ａにおいて、上流側（Ｚ１側）に凸となる弧を形成する。換言すると、前縁部２１の前縁凹部１２０ａは、圧力面２５側が上流側（Ｚ１側）に凹んでいる弧を形成する。すなわち、前縁凹部１２０ａは、圧力面２５側が下流側（Ｚ２側）に開口した凹状に形成されている。また、前縁部２１の前縁凹部１２０ａは、負圧面２６側が上流側（Ｚ１側）に凸の弧を形成する。
【００２４】
前縁部２１は、更に、前縁山部１２１を有している。前縁山部１２１は、前縁投影部２１ａにおいて、下流側（Ｚ２側）に凹むように形成されている。図２及び図３に示すように、前縁投影部２１ａは、下流側（Ｚ２側）に凹んでいる前縁山部１２１を有している。前縁山部１２１は、前縁投影部２１ａにおいて、下流側（Ｚ２側）に凹んでいる弧を形成する。換言すると、前縁部２１の前縁山部１２１は、圧力面２５側が下流側（Ｚ２側）に凸となる弧を形成する。すなわち、前縁部２１の前縁山部１２１は、負圧面２６側が上流側（Ｚ１側）に開口した凹状に形成されている。
【００２５】
前縁投影部２１ａは、軸流ファン１００の径方向において、内周側から外周側に向かって、前縁凹部１２０ａ、前縁山部１２１の順に形成されている。前縁投影部２１ａは、径方向において、第１凹部である前縁凹部１２０ａの割合が、前縁山部１２１の割合よりも多い。換言すると、前縁投影部２１ａは、径方向において、第１凹部である前縁凹部１２０ａの割合が、気流に対して下流側に凹んだ形状に形成された部分の割合よりも多い。
【００２６】
ここで、前縁部２１とハブ１０との付け根となる前縁基部１１ａを通り、回転軸ＲＳに対して垂直な仮想の平面を第１平面ＦＨＳとする。前縁山部１２１において、第１平面ＦＨＳから最も距離が近い点を極大点部１２１ａとする。極大点部１２１ａは、前縁山部１２１において、最も下流側に位置する。極大点部１２１ａは、回転軸ＲＳに対する垂直な方向、すなわち、軸流ファン１００の径方向において、ハブ１０と外周縁部２３とを結んだ直線Ｌ１の中間位置ＭＬよりも外周縁部２３側に形成されている。
【００２７】
図２及び図３に示すように、前縁凹部１２０ａは、極大点部１２１ａよりも内周側に形成されている。前縁凹部１２０ａにおいて、第１平面ＦＨＳから最も遠い位置にある点を前縁極小点部Ｍｎ１とする。前縁極小点部Ｍｎ１は、軸流ファン１００の第１極小点部である。また、前縁極小点部Ｍｎ１は、極大点部１２１ａよりも上流側（Ｚ２側）に位置する。第１極小点部である前縁極小点部Ｍｎ１は、前縁凹部１２０ａにおいて気流の最も上流側（Ｚ１側）に位置する。第１平面ＦＨＳと前縁極小点部Ｍｎ１との間の距離ＦＨ１は、第１平面ＦＨＳと極大点部１２１ａとの間の距離ＦＨ２よりも大きい。
【００２８】
（後縁部２２）
後縁部２２は、回転投影された子午面ＭＰにおいて、複数のＳ字形状を含む曲線で構成された後縁投影部２２ｅを形成する。後縁投影部２２ｅは、第１Ｓ字部２２ａと、第２Ｓ字部２２ｂと、を有する。後縁投影部２２ｅの第１Ｓ字部２２ａ及び第２Ｓ字部２２ｂは、気流の上流側（Ｚ１側）と下流側（Ｚ２側）とに弧を描くＳ字形状の曲線で構成されている。後縁投影部２２ｅは、第１Ｓ字部２２ａ、第２Ｓ字部２２ｂと、を組み合わせた曲線で構成されている。
【００２９】
後縁投影部２２ｅは、第１Ｓ字部２２ａの変曲点となる後縁第１変曲点部Ｓｅ１と、第２Ｓ字部２２ｂの変曲点となる後縁第２変曲点部Ｓｅ２と、を有する。後縁第２変曲点部Ｓｅ２は、回転軸ＲＳに対する垂直な方向、すなわち、軸流ファン１００の径方向において、ハブ１０と外周縁部２３とを結んだ直線Ｌ１の中間位置ＭＬよりも外周縁部２３側に形成されている。後縁第１変曲点部Ｓｅ１は、回転軸ＲＳに対する垂直な方向、すなわち、軸流ファン１００の径方向において、後縁第２変曲点部Ｓｅ２よりも内周側に形成されている。
【００３０】
（後縁凹部１２０ｂ）
後縁部２２は、後縁凹部１２０ｂを有している。後縁凹部１２０ｂは、気流に対して上流側に凹んだ形状に形成されている。図２及び図３に示すように、後縁部２２の輪郭線で示される後縁投影部２２ｅは、気流に対して上流側（Ｚ１側）に凹んだ形状に形成された後縁凹部１２０ｂを有している。後縁凹部１２０ｂは、軸流ファン１００の第２凹部である。後縁凹部１２０ｂは、後縁投影部２２ｅにおいて、後縁第１変曲点部Ｓｅ１と、後縁第２変曲点部Ｓｅ２との間に形成されている。後縁凹部１２０ｂは、後縁投影部２２ｅにおいて、上流側（Ｚ１側）に凹んでいる弧を形成する。換言すると、後縁部２２の後縁凹部１２０ｂは、圧力面２５側が上流側（Ｚ１側）に凹んでいる弧を形成する。すなわち、後縁凹部１２０ｂは、圧力面２５側が下流側（Ｚ２側）に開口した凹状に形成されている。また、後縁部２２の後縁凹部１２０ｂは、負圧面２６側が上流側（Ｚ１側）に凸の弧を形成する。
【００３１】
後縁部２２は、更に、第１山部１２２ａ及び第２山部１２２ｂを有している。第１山部１２２ａ及び第２山部１２２ｂは、下流側（Ｚ２側）に凸となるように形成されている。図２及び図３に示すように、後縁投影部２２ｅは、下流側（Ｚ２側）に凸となる弧を形成する第１山部１２２ａを有する。また、後縁投影部２２ｅは、下流側（Ｚ２側）に凸となる弧を形成する第２山部１２２ｂを有する。第１山部１２２ａ及び第２山部１２２ｂは、前縁投影部２１ａにおいて、下流側（Ｚ２側）に凸となる弧を形成する。換言すると、後縁部２２の第１山部１２２ａ及び第２山部１２２ｂは、圧力面２５側が下流側（Ｚ２側）に凸となる弧を形成する。すなわち、後縁部２２の第１山部１２２ａ及び第２山部１２２ｂは、負圧面２６側が上流側（Ｚ１側）に開口した凹状に形成されている。後縁凹部１２０ｂは、第１山部１２２ａと、第２山部１２２ｂとの間に形成されている。後縁投影部２２ｅは、軸流ファン１００の径方向において、内周側から外周側に向かって、第１山部１２２ａ、後縁凹部１２０ｂ、第２山部１２２ｂの順に形成されている。
【００３２】
ここで、後縁部２２とハブ１０との付け根となる後縁基部１１ｂを通り、回転軸ＲＳに対して垂直な仮想の平面を第２平面ＢＨＳとする。第１山部１２２ａにおいて、第２平面ＢＨＳから最も距離が離れている点を第１極大点部１２３ａとする。第１極大点部１２３ａは、第１山部１２２ａにおいて、最も下流側に位置する。同様に、第２山部１２２ｂにおいて、第２平面ＢＨＳから最も距離が離れている点を第２極大点部１２３ｂとする。第２極大点部１２３ｂは、第２山部１２２ｂにおいて最も下流側に位置する。第２平面ＢＨＳと第２極大点部１２３ｂとの間の距離ＢＨ２は、第２平面ＢＨＳと第１極大点部１２３ａとの間の距離ＢＨ１よりも大きい。すなわち、第２平面ＢＨＳと第１極大点部１２３ａとの間の距離ＢＨ１は、第２平面ＢＨＳと第２極大点部１２３ｂとの間の距離ＢＨ２よりも小さい。第２極大点部１２３ｂは、第１極大点部１２３ａよりも下流側（Ｚ２側）に位置している。第２極大点部１２３ｂは、回転軸ＲＳに対する垂直な方向、すなわち、軸流ファン１００の径方向において、ハブ１０と外周縁部２３とを結んだ直線Ｌ１の中間位置ＭＬよりも外周縁部２３側に形成されている。
【００３３】
図２及び図３に示すように、後縁凹部１２０ｂは、第１極大点部１２３ａと、第２極大点部１２３ｂとの間に形成されている。後縁凹部１２０ｂにおいて、第２平面ＢＨＳと最も近い位置にある点を後縁極小点部Ｍｎ２とする。後縁極小点部Ｍｎ２は、軸流ファン１００の第２極小点部である。第２極小点部である後縁極小点部Ｍｎ２は、後縁凹部１２０ｂにおいて気流の最も上流側（Ｚ１側）に位置する。また、後縁極小点部Ｍｎ２は、第１極大点部１２３ａ及び第２極大点部１２３ｂよりも上流側（Ｚ１側）に位置する。第２平面ＢＨＳと後縁極小点部Ｍｎ２との間の距離ＢＨ３は、第２平面ＢＨＳと第１極大点部１２３ａとの間の距離ＢＨ１よりも小さい。また、第２平面ＢＨＳと後縁極小点部Ｍｎ２との間の距離ＢＨ３は、第２平面ＢＨＳと第２極大点部１２３ｂとの間の距離ＢＨ２よりも小さい。
【００３４】
図２及び図３に示すように、軸流ファン１００の第２凹部である後縁凹部１２０ｂは、軸流ファン１００の第１凹部である前縁凹部１２０ａよりも径方向において外周縁部２３側に形成されている。また、軸流ファン１００の第１凹部である前縁凹部１２０ａの少なくとも一部は、軸流ファン１００の第２凹部である後縁凹部１２０ｂよりも内周縁部２４側に形成されている。
【００３５】
ここで、前縁凹部１２０ａの径方向の幅において、中間位置を前縁側中間部Ａａとする。すなわち、軸流ファン１００の径方向において、前縁基部１１ａと前縁変曲点部Ｓｆ１との間の距離の中間点を前縁側中間部Ａａとする。また、後縁凹部１２０ｂの径方向の幅において、中間位置を後縁側中間部Ａｂとする。すなわち、軸流ファン１００の径方向において、後縁第１変曲点部Ｓｅ１と後縁第２変曲点部Ｓｅ２との間の距離の中間点を後縁側中間部Ａｂとする。図２及び図３に示すように、軸流ファン１００の径方向において、後縁側中間部Ａｂは、前縁側中間部Ａａに対して外周側に形成されている。前縁側中間部Ａａは、図２に示すように、前縁極小点部Ｍｎ１と異なってもよく、前縁側中間部Ａａは、図３に示すように、前縁極小点部Ｍｎ１と同一であってもよい。
【００３６】
（前縁凹部１２０ａ及び後縁凹部１２０ｂと子午面との関係）
図４は、実施の形態１に係る軸流ファン１００の断面位置を特定する斜視図である。なお、図４に示す断面位置Ａ、断面位置Ｂ及び断面位置Ｃは、翼２０における回転方向ＤＲの断面位置を示している。図５は、子午面ＭＰに回転投影した場合の、図４に示す軸流ファン１００の断面位置Ａ、断面位置Ｂ及び断面位置Ｃを表す図である。図６は、回転軸ＲＳに対して垂直方向から見た場合の、断面位置Ａ、断面位置Ｂ及び断面位置Ｃにおける翼２０の断面を示す図である。図７は、回転軸ＲＳに対して垂直方向から見た場合の翼２０の端面の一例を表す図である。なお、回転軸ＲＳに対して垂直方向から見た場合とは、図５の白抜き矢印ＶＰで示す方向から見た場合をいう。図４〜図７を用いて、前縁凹部１２０ａ及び後縁凹部１２０ｂと子午面との関係について説明する。
【００３７】
図４〜図７に示すように、翼２０は、前縁部２１が気流の上流側（Ｚ１側）に位置し、後縁部２２が気流の下流側（Ｚ２側）に位置するように、翼２０が傾斜して形成されている。また、図６及び図７に示すように、回転方向ＤＲにおいて、翼２０が気流の上流側（Ｚ１側）に凹んでいる弧を描くように反っている。なお、図７に示すように、翼２０において、前縁部２１と後縁部２２とを結ぶ直線を翼弦長ＷＬと規定し、翼弦長ＷＬと翼２０の圧力面２５との間の距離を反りの高さＷＨと規定する。図６に示すように、断面位置Ｂは、断面位置Ａ及び断面位置Ｃの翼２０と比較して最も上流側（Ｚ１側）の翼断面を形成する。すなわち、断面位置Ｂの翼２０は、断面位置Ａ及び断面位置Ｃに対して凹んだ形状に形成されている。また、図６に示すように、翼２０は、断面位置Ａ、断面位置Ｂ、断面位置Ｃの順に翼弦長ＷＬが長くなっている。すなわち、翼２０は、径方向において断面位置Ａから断面位置Ｃの間では、外周側に向かうにつれて、翼弦長ＷＬが長くなっている。なお、断面位置Ａ、断面位置Ｂ及び断面位置Ｃの翼弦長ＷＬの関係は、一例であり、当該構成に限定されるものではない。
【００３８】
軸流ファン１００は、図７に示すような翼２０の翼弦長ＷＬ、反りの高さＷＨ、及び、図６に示すような回転軸ＲＳの軸方向における断面位置Ａ、断面位置Ｂ及び断面位置Ｃ等の前縁部２１の位置により子午面に前縁凹部１２０ａを形成することができる。また、軸流ファン１００は、図７に示すような翼２０の翼弦長ＷＬ、反りの高さＷＨ、及び、図６に示すような回転軸ＲＳの軸方向における断面位置Ａ、断面位置Ｂ及び断面位置Ｃ等の後縁部２２の位置により子午面に後縁凹部１２０ｂを形成することができる。
【００３９】
（凹部流路１２０）
図８は、実施の形態１に係る軸流ファン１００の凹部流路１２０を示す斜視図である。図８に示すように、翼２０の圧力面２５には、気流の上流側（Ｚ１）に凹んだ形状の凹部流路１２０が形成されている。凹部流路１２０は、翼２０の圧力面２５において、空気が流れる流路を形成する。凹部流路１２０は、軸流ファン１００の径方向において、圧力面２５が上流側（Ｚ１側）に弧を描くように凹んだ形状に形成されている。また、凹部流路１２０は、軸流ファン１００の径方向において、負圧面２６が上流側（Ｚ１側）に弧を描くように凸形状に形成されている。すなわち、翼２０は、凹部流路１２０を構成する壁が、上流側（Ｚ１側）に向かって凸となるように湾曲している。
【００４０】
凹部流路１２０は、前縁部２１と後縁部２２との間に形成されている。凹部流路１２０は、軸流ファン１００の回転方向ＤＲにおいて、前縁部２１から後縁部２２にかけて連続して形成されている。凹部流路１２０は、周方向において、前縁部２１側の端部が前縁凹部１２０ａを形成する部分により構成されており、後縁部２２側の端部が後縁凹部１２０ｂを形成する部分により構成されている。すなわち、凹部流路１２０は、軸流ファン１００の回転方向ＤＲの両端部に前縁凹部１２０ａを形成する部分と後縁凹部１２０ｂを形成する部分とを含み、前縁凹部１２０ａと後縁凹部１２０ｂとの間において気流の通る流路を構成する。
【００４１】
［軸流ファン１００の作用］
図９は、実施の形態１に係る軸流ファン１００の翼２０における気流を模式的に表した子午面図である。図８〜図９を用いて、軸流ファン１００の翼２０における空気の流れについて説明する。なお、矢印で示す方向ＦＬは、気流の方向を示している。図８に示すように、凹部流路１２０は、翼２０の圧力面２５において、気流の流路となる。軸流ファン１００に連結されたモータ等の駆動により回転軸ＲＳを中心に翼２０が回転すると、翼２０の圧力面２５が空気を受ける。そして、軸流ファン１００は、図８及び図９に示すように、前縁部２１の前縁凹部１２０ａから流入した気流が、凹部流路１２０を通り、凹部流路１２０に沿って流れる。この際、気流は、前縁部２１の前縁凹部１２０ａから凹部流路１２０に沿って後縁部２２の後縁凹部１２０ｂに向かうにつれて、軸流ファン１００の径方向の外側に向かう。軸流ファン１００は、気流が径方向の内周側から外周側へ向かうため、半径変化に伴う角運動量（＝半径×運動量）の差によるエネルギーが翼２０から気体に供給される。
【００４２】
図１０は、実施の形態１に係る軸流ファン１００の変形例の翼２０における気流を模式的に表した子午面図である。上述した図９の軸流ファン１００は、後縁第２変曲点部Ｓｅ２と前縁変曲点部Ｓｆ１とが径方向において、回転軸ＲＳから略同じ位置に位置している。これに対し、図１０の軸流ファン１００は、後縁第２変曲点部Ｓｅ２と前縁変曲点部Ｓｆ１とが径方向において、回転軸ＲＳから異なる位置に位置している。より詳細には、図１０の軸流ファン１００は、前縁変曲点部Ｓｆ１が後縁第２変曲点部Ｓｅ２よりも、径方向において、回転軸ＲＳに近い内周側に位置している。また、前縁変曲点部Ｓｆ１は、径方向において、後縁第１変曲点部Ｓｅ１と、後縁第２変曲点部Ｓｅ２との間に位置している。そのため、図１０の軸流ファン１００は、図９に示す軸流ファン１００よりも、軸流ファン１００の径方向の外側に向かう気流の流れが多くなる。そのため、図１０に示す軸流ファン１００は、図９に示す軸流ファン１００よりも、半径変化に伴う角運動量（＝半径×運動量）の差によるエネルギーが大きくなる。
【００４３】
［軸流ファン１００の効果］
軸流ファン１００は、第２凹部である後縁凹部１２０ｂが、第１凹部である前縁凹部１２０ａよりも径方向の外周側に形成されており、前縁凹部１２０ａの少なくとも一部は、後縁凹部１２０ｂよりも径方向の内周側に形成されている。そのため、翼２０の圧力面２５を流れる気流は、前縁部２１の前縁凹部１２０ａから後縁部２２の後縁凹部１２０ｂに向かうにつれて径方向の外側に向かう。ここで、一般に、軸流ファンは、翼の外周側で気体を押し出した方が、翼の内周側で気体を押し出すよりも、軸流ファンが同じ回転数で回っているときの翼から気体に与えるモーメントが長くなるので、翼の外周側に気流を通すことが望まれる。軸流ファン１００は、上記構成により、翼２０の前縁部２１で受けた気流が、翼２０から気流へ力を効率よく与えられる圧力面２５の外周側を翼２０の回転方向に沿って流れやすくなる。また、軸流ファン１００の翼２０の圧力面２５に沿って流れる気体は、径方向の内周側から外周側への移動による運動量のエネルギーを得ることができ、風量が増す。その結果、軸流ファン１００は、効率よく送風することができ、消費電力を抑制することができる。
【００４４】
また、前縁凹部１２０ａは、前縁部２１のハブ１０との付け根部分である基部１１と、前縁変曲点部Ｓｆ１との間に形成されており、後縁凹部１２０ｂは、後縁第１変曲点部Ｓｅ１と後縁第２変曲点部Ｓｅ２との間に形成されている。そのため、翼２０の圧力面２５を流れる気流は、前縁部２１の前縁凹部１２０ａから後縁部２２の後縁凹部１２０ｂに向かうにつれて径方向の外側に向かう。軸流ファン１００は、上記構成により、翼２０の前縁部２１で受けた気流が、翼２０から気流へ力を効率よく与えられる圧力面２５の外周側を翼２０の回転方向に沿って流れやすくなる。また、軸流ファン１００の翼２０の圧力面２５に沿って流れる気体は、径方向の内周側から外周側への移動による運動量のエネルギーを得ることができ、風量が増す。その結果、軸流ファン１００は、効率よく送風することができ、消費電力を抑制することができる。
【００４５】
また、前縁変曲点部Ｓｆ１は、径方向において、後縁第１変曲点部Ｓｅ１と、後縁第２変曲点部Ｓｅ２との間に位置している。当該構成を有することで、圧力面２５の凹部流路１２０の形成位置は、前縁部２１が後縁部２２よりも内周側に位置するので、前縁部２１から後縁部２２にかけて、凹部流路１２０が内周側から外周側に形成される。そのため、圧力面２５上の気流は、前縁部２１から後縁部２２にかけて内周側から外周側への移動が発生し、半径違いにより発生する運動量エネルギーを得ることができ、風量が増す。その結果、軸流ファン１００は、効率よく送風することができ、消費電力を抑制することができる。
【００４６】
また、前縁投影部２１ａは、径方向において、第１凹部である前縁凹部１２０ａの割合が、気流に対して下流側に凹んだ形状に形成された部分の割合よりも多い。軸流ファン１００は、翼２０の表面が下流側に凹んだ形状（お椀状の形状）となるため、気流をすくい取りやすく、大風量を流入させることができる。また、軸流ファン１００は、下流側に凹んだ形状となるため外周端から気流が漏れにくくなり、前縁部２１から後縁部２２まで気流を保持しやすくなる。
【００４７】
また、凹部流路１２０は、前縁部２１と後縁部２２との間に形成されている。そして、凹部流路１２０は、周方向において、前縁部２１側の端部が前縁凹部１２０ａを形成する部分により構成されており、後縁部２２側の端部が後縁凹部１２０ｂを形成する部分により構成されている。軸流ファン１００は、上記構成により、翼２０の前縁部２１で受けた気流が、翼２０から気流へ力を効率よく与えられる圧力面２５の外周側を翼２０の回転方向に沿って流れやすくなる。また、軸流ファン１００の翼２０の圧力面２５に沿って流れる気体は、径方向の内周側から外周側への移動による運動量のエネルギーを得ることができ、風量が増す。その結果、軸流ファン１００は、効率よく送風することができ、消費電力を抑制することができる。
【００４８】
実施の形態２．
図１１は、実施の形態２に係る軸流ファン１００Ａを子午面に回転投影した場合の軸流ファン１００Ａの一例の形状を示す図である。なお、図１〜図１０の軸流ファン１００Ａと同一の構成を有する部位には同一の符号を付してその説明を省略する。実施の形態２に係る軸流ファン１００Ａは、前縁凹部１２０ａ１及び後縁凹部１２０ｂ１の構成が、実施の形態１に係る軸流ファン１００の前縁凹部１２０ａ及び後縁凹部１２０ｂと異なるものである。そのため、以下の説明では、実施の形態２に係る軸流ファン１００Ａについて、前縁凹部１２０ａ１及び後縁凹部１２０ｂ１の構成を中心に説明する。
【００４９】
（前縁凹部１２０ａ１）
前縁部２１は、前縁凹部１２０ａ１を有している。前縁凹部１２０ａ１は、前縁部２１の輪郭線で示される前縁投影部２１ａにおいて、気流に対して上流側（Ｚ１側）に凸形状となるように形成されている。図１１に示すように、前縁部２１の輪郭線で示される前縁投影部２１ａは、気流に対して上流側に凸形状に形成された前縁凹部１２０ａ１を有している。前縁凹部１２０ａ１は、軸流ファン１００の第１凹部である。前縁凹部１２０ａ１は、前縁投影部２１ａにおいて、上流側（Ｚ１側）に凸となる弧を形成する。換言すると、前縁部２１の前縁凹部１２０ａ１は、圧力面２５側が上流側（Ｚ１側）に凹んでいる弧を形成する。すなわち、前縁凹部１２０ａ１は、圧力面２５側が下流側（Ｚ２側）に開口した凹状に形成されている。また、前縁部２１の前縁凹部１２０ａ１は、負圧面２６側が上流側（Ｚ１側）に凸の弧を形成する。前縁投影部２１ａは、下流側（Ｚ２側）に凹んでいる前縁山部１２１を有している。前縁投影部２１ａは、軸流ファン１００の径方向において、内周側から外周側に向かって、前縁凹部１２０ａ１、前縁山部１２１の順に形成されている。
【００５０】
ここで、子午面において、前縁部２１とハブ１０との付け根となる前縁基部１１ａと極大点部１２１ａとを結ぶ直線を直線ＳＬ１と定義する。前縁凹部１２０ａ１は、前縁投影部２１ａにおいて、直線ＳＬ１よりも上流側（Ｚ１側）に存在する部分である。
【００５１】
図１１に示すように、前縁凹部１２０ａ１は、極大点部１２１ａよりも内周側に形成されている。前縁凹部１２０ａ１において、第１平面ＦＨＳから最も遠い位置にある点を前縁極小点部Ｍｎ１とする。また、前縁極小点部Ｍｎ１は、極大点部１２１ａよりも上流側（Ｚ２側）に位置する。前縁極小点部Ｍｎ１は、前縁凹部１２０ａ１において最も上流側（Ｚ１側）に位置する。
【００５２】
（後縁凹部１２０ｂ１）
後縁部２２は、後縁凹部１２０ｂ１を有している。後縁凹部１２０ｂ１は、気流に対して上流側に凹んだ形状に形成されている。図１１に示すように、後縁部２２の輪郭線で示される後縁投影部２２ｅは、気流に対して上流側（Ｚ１側）に凹んだ形状に形成された後縁凹部１２０ｂ１を有している。後縁凹部１２０ｂ１は、軸流ファン１００の第２凹部である。後縁凹部１２０ｂ１は、後縁投影部２２ｅにおいて、上流側（Ｚ１側）に凹んでいる弧を形成する。換言すると、後縁部２２の後縁凹部１２０ｂ１は、圧力面２５側が上流側（Ｚ１側）に凹んでいる弧を形成する。すなわち、後縁凹部１２０ｂ１は、圧力面２５側が下流側（Ｚ２側）に開口した凹状に形成されている。また、後縁部２２の後縁凹部１２０ｂ１は、負圧面２６側が上流側（Ｚ１側）に凸の弧を形成する。後縁部２２は、更に、第１山部１２２ａ及び第２山部１２２ｂを有している。第１山部１２２ａ及び第２山部１２２ｂは、下流側（Ｚ２側）に凸となるように形成されている。第１山部１２２ａ及び第２山部１２２ｂは、前縁投影部２１ａにおいて、下流側（Ｚ２側）に凸となる弧を形成する。後縁凹部１２０ｂ１は、第１山部１２２ａと、第２山部１２２ｂとの間に形成されている。後縁投影部２２ｅは、軸流ファン１００の径方向において、内周側から外周側に向かって、第１山部１２２ａ、後縁凹部１２０ｂ１、第２山部１２２ｂの順に形成されている。
【００５３】
ここで、子午面において、後縁部２２とハブ１０との付け根となる後縁基部１１ｂと第２極大点部１２３ｂとを結ぶ直線を直線ＳＬ２と定義する。後縁凹部１２０ｂ１は、後縁投影部２２ｅにおいて、直線ＳＬ２よりも上流側（Ｚ１側）に存在する部分である。
【００５４】
図１１に示すように、後縁凹部１２０ｂ１は、第１極大点部１２３ａと、第２極大点部１２３ｂとの間に形成されている。後縁凹部１２０ｂ１において、第２平面ＢＨＳと最も近い位置にある点を後縁極小点部Ｍｎ２とする。また、後縁極小点部Ｍｎ２は、第１極大点部１２３ａ及び第２極大点部１２３ｂよりも上流側（Ｚ１側）に位置する。後縁極小点部Ｍｎ２は、後縁凹部１２０ｂ１において最も上流側（Ｚ１側）に位置する。
【００５５】
図１１に示すように、後縁投影部２２ｅの後縁凹部１２０ｂ１は、前縁投影部２１ａの前縁凹部１２０ａ１よりも径方向において外周縁部２３側に形成されている。また、前縁投影部２１ａの前縁凹部１２０ａ１の一部は、後縁投影部２２ｅの後縁凹部１２０ｂ１よりも内周縁部２４側に形成されている。
【００５６】
軸流ファン１００Ａは、軸流ファン１００と同様に翼２０に凹部流路１２０を有している。軸流ファン１００Ａは、回転方向ＤＲにおいて、凹部流路１２０の両端に前縁凹部１２０ａ１と後縁凹部１２０ｂ１とを有する。
【００５７】
［軸流ファン１００Ａの効果］
軸流ファン１００Ａは、第２凹部である後縁凹部１２０ｂ１が、第１凹部である前縁凹部１２０ａ１よりも径方向の外周側に形成されており、前縁凹部１２０ａ１の少なくとも一部は、後縁凹部１２０ｂ１よりも径方向の内周側に形成されている。そのため、翼２０の圧力面２５を流れる気流は、前縁部２１の前縁凹部１２０ａ１から後縁部２２の後縁凹部１２０ｂ１に向かうにつれて径方向の外側に向かう。ここで、一般に、軸流ファンは、翼の外周側で気体を押し出した方が、翼の内周側で気体を押し出すよりも、軸流ファンが同じ回転数で回っているときの翼から気体に与えるモーメントが長くなるので、翼の外周側に気流を通すことが望まれる。軸流ファン１００Ａは、上記構成により、翼２０の前縁部２１で受けた気流が、翼２０から気流へ力を効率よく与えられる圧力面２５の外周側を翼２０の回転方向に沿って流れやすくなる。また、軸流ファン１００Ａの翼２０の圧力面２５に沿って流れる気体は、径方向の内周側から外周側への移動による運動量のエネルギーを得ることができ、風量が増す。その結果、軸流ファン１００Ａは、効率よく送風することができ、消費電力を抑制することができる。
【００５８】
実施の形態３．
図１２は、実施の形態３に係る軸流ファン１００Ｂを子午面に回転投影した場合の軸流ファン１００Ｂの一例の形状を示す図である。なお、図１〜図１１の軸流ファン１００等と同一の構成を有する部位には同一の符号を付してその説明を省略する。実施の形態３に係る軸流ファン１００Ｂは、前縁凹部１２０ａ及び後縁凹部１２０ｂ、並びに、前縁凹部１２０ａ１及び後縁凹部１２０ｂ１の構成を更に特定するものである。
【００５９】
（軸流ファン１００Ｂの構成）
図１２に示すように、軸流ファン１００Ｂの径方向において、第２極小点部である後縁極小点部Ｍｎ２は、第１極小点部である前縁極小点部Ｍｎ１よりも外周側に形成されている。すなわち、回転軸ＲＳに対する垂直な方向において、回転軸ＲＳと後縁極小点部Ｍｎ２との間の距離は、回転軸ＲＳと前縁極小点部Ｍｎ１との間の距離よりも大きい。
【００６０】
前縁極小点部Ｍｎ１及び後縁極小点部Ｍｎ２を含む極小点部１２０ｍは、凹部流路１２０において、翼２０の圧力面２５における回転軸ＲＳの軸方向の高低差が最も大きい部分であり、気流が集中しやすい部分である。なお、極小点部１２０ｍとは、軸方向における凹部流路１２０の各断面において、最も上流側に位置する部分である。また、極小点部１２０ｍは、軸方向における凹部流路１２０の各断面において最も上流側に位置する部分が、前縁部２１と後縁部２２との間で連続した部分である。
【００６１】
（軸流ファン１００Ｂの作用効果）
軸流ファン１００Ｂは、軸流ファン１００Ｂの径方向において、後縁極小点部Ｍｎ２が、前縁極小点部Ｍｎ１に対して外周側に形成されているため、前縁部２１から後縁部２２に向かうにつれて、より多くの気流が軸流ファン１００Ｂの径方向の外側に向かう。気流が前縁部２１から後縁部２２にかけて径方向の内周側から外周側に向かうにつれ、軸流ファン１００の圧力面２５を周方向に沿って移動する気流と比較して、より多くの気流が径方向の内周側から外周側への移動による運動量のエネルギーを得やすくなる。また、軸流ファン１００Ｂの翼２０の圧力面２５に沿って流れる気体は、径方向の内周側から外周側への移動による運動量のエネルギーを得ることができ、風量が増す。その結果、軸流ファン１００Ｂは、効率よく送風することができ、消費電力を抑制することができる。
【００６２】
実施の形態４．
図１３は、実施の形態４に係る軸流ファン１００Ｃを子午面に回転投影した場合の軸流ファン１００Ｃの一例の形状を示す図である。なお、図１〜図１２の軸流ファン１００等と同一の構成を有する部位には同一の符号を付してその説明を省略する。実施の形態４に係る軸流ファン１００Ｃは、前縁凹部１２０ａ及び後縁凹部１２０ｂ、並びに、前縁凹部１２０ａ１及び後縁凹部１２０ｂ１の構成を更に特定するものである。なお、以下の説明では、前縁凹部１２０ａ及び後縁凹部１２０ｂの構成について説明するが、前縁凹部１２０ａ１及び後縁凹部１２０ｂ１の構成も同じであるため、前縁凹部１２０ａ１及び後縁凹部１２０ｂ１の構成についての説明は省略する。
【００６３】
（軸流ファン１００Ｃの構成）
図１３に示すように、軸流ファン１００Ｃの翼２０は、第２凹部である後縁凹部１２０ｂの径方向幅ＢＷが、第１凹部である前縁凹部１２０ａの径方向幅ＦＷよりも狭い。翼２０を通過する気流は、前縁投影部２１ａでは前縁側中間部Ａａを中心とする径方向に幅広い前縁凹部１２０ａから流入し、後縁部２２側に向かうにつれて、後縁側中間部Ａｂを中心とする径方向に狭い後縁凹部１２０ｂに集中するように凹部流路１２０を流れる。
【００６４】
（軸流ファン１００Ｃの作用効果）
軸流ファン１００Ｃは、翼２０において、半径方向に広い範囲で気流を流入させて、流入させた気体が翼２０から気流に与える力が大きい翼２０の外周側を通過するように集中させることができるため、気流に効率よくエネルギーを与えることができる。そのため、軸流ファン１００Ｃは、大風量を高効率に送風することができる。
【００６５】
実施の形態５.
図１４は、実施の形態５に係る軸流ファン１００Ｄの概略構成を示す斜視図である。なお、図１〜図１３の軸流ファン１００等と同一の構成を有する部位には同一の符号を付してその説明を省略する。実施の形態５に係る軸流ファン１００Ｄは、凹部流路１２０の構成を更に特定するものである。
【００６６】
（軸流ファン１００Ｄの構成）
上述したように極小点部１２０ｍは、径方向における凹部流路１２０の各断面において、最も上流側に位置する部分である。また、極小点部１２０ｍは、径方向における凹部流路１２０の各断面において最も上流側に位置する部分が、前縁部２１と後縁部２２との間で連続した部分である。実施の形態５に係る軸流ファン１００Ｄは、凹部流路１２０の極小点部１２０ｍが前縁部２１から後縁部２２にかけて、極小点部１２０ｍの形成位置が径方向外側へ向かう状態に形成されている。なお、極小点部１２０ｍの形成位置は、外周縁部２３側から吸込まれる気流の量と、内周縁部２４側からの遠心力で凹部流路１２０に流れ込む気流の外力とのバランスが考慮される。そのため、極小点部１２０ｍは、前縁部２１から後縁部２２に向かうにつれて、内周側から外周側へ単調移動するように形成されることが必須ではない。
【００６７】
（軸流ファン１００Ｄの作用効果）
軸流ファン１００Ｄは、翼２０を通過する気流が、前縁部２１から流入し、後縁部２２側に向かうにつれて、極小点部１２０ｍに沿って凹部流路１２０を流れ、翼２０から気流に与える力が大きい翼２０の外周側を通過するように集中させることができる。そのため、軸流ファン１００Ｄは、気流に効率よくエネルギーを与えることができ、大風量を高効率に送風することができる。
【００６８】
実施の形態６．
図１５は、実施の形態６に係る軸流ファン１００Ｅを子午面に回転投影した場合の軸流ファン１００Ｅの一例の形状を示す図である。なお、図１〜図１４の軸流ファン１００等と同一の構成を有する部位には同一の符号を付してその説明を省略する。実施の形態６に係る軸流ファン１００Ｃは、前縁凹部１２０ａ及び後縁凹部１２０ｂ、並びに、前縁凹部１２０ａ１及び後縁凹部１２０ｂ１の構成を更に特定するものである。なお、以下の説明では、前縁凹部１２０ａ及び後縁凹部１２０ｂの構成について説明するが、前縁凹部１２０ａ１及び後縁凹部１２０ｂ１の構成も同じであるため、前縁凹部１２０ａ１及び後縁凹部１２０ｂ１の構成についての説明は省略する。
【００６９】
（軸流ファン１００Ｅの構成）
回転軸ＲＳの軸方向における前縁凹部１２０ａの凹み形状の深さを前縁高ＥＨ１と定義する。前縁高ＥＨ１は、図１５に示すように、回転軸ＲＳの軸方向と平行な方向において、前縁極小点部Ｍｎ１と極大点部１２１ａとの間の距離である。同様に、回転軸ＲＳの軸方向における後縁凹部１２０ｂの凹み形状の深さを後縁高ＥＨ２と定義する。後縁高ＥＨ２は、図１５に示すように、回転軸ＲＳの軸方向と平行な方向において、後縁極小点部Ｍｎ２と第２極大点部１２３ｂとの間の距離である。前縁高ＥＨ１及び後縁高ＥＨ２は、前縁凹部１２０ａ及び後縁凹部１２０ｂの凹部形状の深さを、凹部形状の外周側に位置する最も下流側（Ｚ２側）の壁を基準にし、凹部形状の最も上流側（Ｚ１側）の壁となる極小点までの軸方向の高さで規定したものである。
【００７０】
軸流ファン１００Ｅは、後縁凹部１２０ｂの後縁高ＥＨ２が、前縁凹部１２０ａの前縁高ＥＨ１よりも大きくなるように形成されている。すなわち、軸流ファン１００Ｅは、回転軸ＲＳの軸方向において、第２凹部である後縁凹部１２０ｂの深さは、第１凹部である前縁凹部１２０ａの深さよりも大きい。
【００７１】
（軸流ファン１００Ｅの作用効果）
一般的に、軸流ファンの後縁部側は、気流の圧力が高くなり、遠心力の影響によって外周側へ気流が漏れやすい。軸流ファン１００Ｅは、気流の圧力が高くなると共に遠心力の影響を受ける、後縁部２２側において、後縁凹部１２０ｂの後縁高ＥＨ２が、前縁凹部１２０ａの前縁高ＥＨ１よりも大きくなるように形成されている。そのため、軸流ファン１００Ｅは、気流の圧力が高くなり遠心力の影響を受ける後縁部２２側において、翼２０の外周側に気流が漏れにくくなり、気流を凹部流路１２０に確実に流すことができる。
【００７２】
実施の形態７．
図１６は、実施の形態７に係る軸流ファン１００Ｆを子午面に回転投影した場合の軸流ファン１００Ｆの一例の形状を示す図である。なお、図１〜図１５の軸流ファン１００等と同一の構成を有する部位には同一の符号を付してその説明を省略する。実施の形態７に係る軸流ファン１００Ｆは、翼２０の構成を更に特定するものである。なお、以下の説明では、後縁凹部１２０ｂの構成について説明するが、後縁凹部１２０ｂ１の構成も同じであるため、後縁凹部１２０ｂ１の構成についての説明は省略する。
【００７３】
（後縁部２２）
後縁投影部２２ｅは、回転投影された子午面ＭＰにおいて、複数のＳ字形状を含む曲線で構成されている。後縁投影部２２ｅは、第１Ｓ字部２２ａと、第２Ｓ字部２２ｂと、第３Ｓ字部２２ｃとを有する。後縁投影部２２ｅの第１Ｓ字部２２ａ、第２Ｓ字部２２ｂ及び第３Ｓ字部２２ｃは、それぞれ気流の上流側と下流側とに弧を描くＳ字形状の曲線で構成されている。後縁投影部２２ｅは、第１Ｓ字部２２ａと第２Ｓ字部２２ｂとの間に、第３Ｓ字部２２ｃを組み合わせた曲線で構成されている。
【００７４】
後縁投影部２２ｅは、第１Ｓ字部２２ａの変曲点となる後縁第１変曲点部Ｓｅ１と、第２Ｓ字部２２ｂの変曲点となる後縁第２変曲点部Ｓｅ２と、第３Ｓ字部２２ｃの変曲点となる後縁第３変曲点部Ｓｅ３とを有する。後縁第１変曲点部Ｓｅ１は、回転軸ＲＳに対する垂直な方向、すなわち、軸流ファン１００の径方向において、後縁第２変曲点部Ｓｅ２よりも内周側に形成されている。後縁第３変曲点部Ｓｅ３は、回転軸ＲＳに対する垂直な方向、すなわち、軸流ファン１００の径方向において、後縁第１変曲点部Ｓｅ１と後縁第２変曲点部Ｓｅ２との間に形成されている。
【００７５】
（後縁凹部１２０ｂ）
後縁投影部２２ｅは、後縁第１変曲点部Ｓｅ１と、後縁第２変曲点部Ｓｅ２との間が上流側（Ｚ１側）に凹んだ形状に形成された後縁凹部１２０ｂを有している。後縁凹部１２０ｂは、気流に対して上流側に凹んだ形状に形成された後縁内側凹部１２０ｂａと、気流に対して上流側に凹んだ形状に形成された後縁外側凹部１２０ｂｂとを有する。後縁内側凹部１２０ｂａは、軸流ファン１００の第３凹部であり、後縁外側凹部１２０ｂｂは、軸流ファン１００の第４凹部である。後縁内側凹部１２０ｂａは後縁外側凹部１２０ｂｂに対して翼２０の内周側に形成されており、後縁外側凹部１２０ｂｂは後縁内側凹部１２０ｂａに対して翼２０の外周側に形成されている。後縁内側凹部１２０ｂａ及び後縁外側凹部１２０ｂｂは、後縁投影部２２ｅにおいて、上流側（Ｚ１側）に凹んだ弧を形成する。後縁内側凹部１２０ｂａ及び後縁外側凹部１２０ｂｂは、軸流ファン１００Ｆの回転方向ＤＲとは反対の方向に向かって、翼２０の中央部から後縁投影部２２ｅにかけて形成されている。
【００７６】
後縁投影部２２ｅは、下流側（Ｚ２側）に凸となる弧を形成する第１山部１２２ａを有する。また、後縁投影部２２ｅは、下流側（Ｚ２側）に凸となる弧を形成する第２山部１２２ｂを有する。更に、後縁投影部２２ｅの後縁凹部１２０ｂは、下流側（Ｚ２側）に凸となる弧を形成する第３山部１２２ｃを有する。後縁凹部１２０ｂは、第１山部１２２ａと、第２山部１２２ｂとの間に形成されている。後縁内側凹部１２０ｂａは、第１山部１２２ａと、第３山部１２２ｃとの間に形成されている。後縁外側凹部１２０ｂｂは、第３山部１２２ｃと、第２山部１２２ｂとの間に形成されている。後縁投影部２２ｅは、軸流ファン１００の径方向において、内周側から外周側に向かって、第１山部１２２ａ、後縁凹部１２０ｂ、第２山部１２２ｂの順に形成されている。また、後縁凹部１２０ｂは、後縁内側凹部１２０ｂａ、第３山部１２２ｃ、後縁外側凹部１２０ｂｂが形成されている。そのため、後縁投影部２２ｅは、軸流ファン１００の径方向において、内周側から外周側に向かって、第１山部１２２ａ、後縁内側凹部１２０ｂａ、第３山部１２２ｃ、後縁外側凹部１２０ｂｂ、第２山部１２２ｂの順に形成されている。
【００７７】
軸流ファン１００Ｆは、後縁投影部２２ｅの凹部流路１２０を構成する後縁第１変曲点部Ｓｅ１と後縁第２変曲点部Ｓｅ２との間に、後縁第３変曲点部Ｓｅ３を有する。また、軸流ファン１００Ｆは、後縁凹部１２０ｂに第３山部１２２ｃを設けている。軸流ファン１００Ｆは、当該構成により、軸流ファン１００Ｆの周方向において、翼２０の中央部から後縁投影部２２ｅにかけて凹部流路１２０が後縁内側凹部１２０ｂａと後縁外側凹部１２０ｂｂに向かう２つの流路に分岐するように形成されている。すなわち、軸流ファン１００Ｆは、当該構成により、軸流ファン１００Ｆの周方向において、翼２０の中央部から後縁投影部２２ｅにかけて凹部流路１２０が複数に分岐するように形成されている。
【００７８】
軸流ファン１００Ｆは、後縁内側凹部１２０ｂａと、後縁外側凹部１２０ｂｂとによって、翼２０の圧力面２５側に空気の流れる方向に沿った縦溝が形成されており、翼２０の圧力面２５側にいわゆるリブレットのような形状を有している。図１６に示すように、前縁部２１から流入した気流は、翼２０の後縁部２２側では、凹部流路１２０に沿って２つに分かれて流れる。
【００７９】
（軸流ファン１００Ｆの作用効果）
図１７は、比較例に係る軸流ファン１００Ｇの吹出し気流の態様を表した斜視図である。なお、比較例に係る軸流ファン１００Ｇは、実施の形態１〜実施の形態６に係る軸流ファン１００〜軸流ファン１００Ｅに相当する構成である。軸流ファン１００Ｇは、図１７に示すように、後縁部２２側の凹部流路１２０を流れる気流が凹部流路１２０の外周側に集中し、吹出流の風速分布ＷＳＤは外周側が高くなる。そのため、軸流ファン１００Ｇは、後縁部２２において風速差によって渦ＶＴが発生する場合がある。この後縁部２２において生じた渦ＶＴは、軸流エネルギー損失の原因となり、また、発生する音の増加の原因となる。
【００８０】
図１８は、実施の形態７に係る軸流ファン１００Ｆの吹出し気流の態様を表した斜視図である。図１８に示すように、比較例に係る軸流ファン１００Ｇに対して、実施の形態７に係る軸流ファン１００Ｆは、後縁部２２側で区分けされた凹部流路１２０に沿って気流が流れる。軸流ファン１００Ｆは、後縁凹部１２０ｂにおいて、気流に対して上流側に凹んだ形状に形成された第３凹部である後縁内側凹部１２０ｂａと、気流に対して上流側に凹んだ形状に形成された第４凹部である後縁外側凹部１２０ｂｂとを有する。軸流ファン１００Ｆは、当該構成を有することで、後縁部２２の凹部流路１２０に集中する気流を、細かい凹部流路１２０にて整流し、翼２０からの吹出し気流が狭い箇所に集中することを抑え、気流速度を均一化する。そのため、軸流ファン１００Ｆは、図１８に示すように、吹出流の風速分布ＷＳＤが凹部流路１２０の内周側から外周側にかけて均一化する。その結果、軸流ファン１００Ｆは、後縁部２２から渦ＶＴが発生しにくく、渦ＶＴの発生によるエネルギー損失を抑制することができ、更に、渦ＶＴによって発生する音の増加を抑制することができる。すなわち、軸流ファン１００Ｆは、上記構成を備えることで、高速流と低速流が吹出し後に混ざって発生する速度差に起因するエネルギー損失を小さく抑えることができる。
【００８１】
実施の形態８．
図１９は、実施の形態８に係る軸流ファン１００Ｈの概略構成を示す斜視図である。なお、図１〜図１８の軸流ファン１００等と同一の構成を有する部位には同一の符号を付してその説明を省略する。実施の形態８に係る軸流ファン１００Ｈは、翼２０の後縁部２２の構成を更に特定するものである。なお、実施の形態８に係る軸流ファン１００Ｈを図１の子午面ＭＰに回転投影した場合の軸流ファン１００Ｈの形状は、図２に示す軸流ファン１００の形状と同じである。
【００８２】
（軸流ファン１００Ｈの構成）
後縁部２２は、回転軸ＲＳと平行な方向に見た平面視において、後縁凹部１２０ｂを構成する部分の後縁部２２の縁部が前縁部２１側に切り欠かれた状態に形成された切欠部２７を有する。翼２０の後縁部２２には、少なくとも１つの切欠部２７が形成されている。切欠部２７は、翼２０を構成する後縁部２２が軸流ファン１００Ｈの周方向に切り欠かれた切り欠き形状を有している部分である。すなわち、切欠部２７は、後縁部２２から前縁部２１に向かって切り欠かれた切り欠き形状を有している部分である。翼２０は、切欠部２７を構成する縁部の径方向の幅が、前縁部２１に向かうにつれて狭くなるように形成されている。切欠部２７において、後縁部２２は、前縁部２１側に凹んだ縁部を構成する。切欠部２７の開口は、回転方向ＤＲと反対方向に開口している。切欠部２７を構成する後縁部２２の縁部は、回転軸ＲＳの軸方向と平行に見た平面視において、例えば、Ｕ字形状、あるいは、Ｖ字形状に形成されている。
【００８３】
切欠部２７は、後縁第１変曲点部Ｓｅ１と、後縁第２変曲点部Ｓｅ２との間に形成されている。すなわち、切欠部２７は、後縁部２２の後縁凹部１２０ｂに形成されている。したがって、後縁凹部１２０ｂは、上流側（Ｚ１側）に凹んだ弧を形成すると共に、切欠部２７によって前縁部２１側に凹んだ縁部を構成する。
【００８４】
（軸流ファン１００Ｈの作用効果）
上述した実施の形態７の軸流ファン１００Ｆは、吹出流の風速分布ＷＳＤが凹部流路１２０の内周側から外周側にかけて均一化する。しかし、吹出し風速の均一化を目的とし、実施の形態７に係る軸流ファン１００Ｆのように、凹部流路１２０に流路の凹凸を追加する場合に、径方向の幅によっては圧力面２５の凹凸の高さの差を設けにくい場合がある。
【００８５】
実施の形態８に係る軸流ファン１００Ｈは、後縁凹部１２０ｂに切欠部２７を形成することで、図６に示した翼弦長ＷＬの長さを調整することができる。その結果、軸流ファン１００Ｈは、凹部流路１２０の間で翼２０が気流を押す力を低減することができ、吹出し風速の均一化を目的とした吹出し風速分布を更に作りやすくなる。また、軸流ファン１００Ｈは、上記構成によって凹部流路１２０の外周側と内周側との風速差が小さくなるため、高速流と低速流が吹出し後に混ざって発生する速度差に起因するエネルギー損失を小さく抑えることができる。
【００８６】
実施の形態９．
図２０は、実施の形態９に係る軸流ファン１００Ｉの概略構成を示す斜視図である。なお、図１〜図１９の軸流ファン１００等と同一の構成を有する部位には同一の符号を付してその説明を省略する。実施の形態９に係る軸流ファン１００Ｉは、翼２０の前縁部２１の構成と後縁部２２の構成とを更に特定するものである。
【００８７】
（軸流ファン１００Ｉの構成）
前縁凹部１２０ａを構成する部分の前縁部２１の縁部には、波型のセレーション２８が形成されている。あるいは、後縁凹部１２０ｂを構成する部分の後縁部２２の縁部には、波型のセレーション２８が形成されている。翼２０の前縁部２１及び後縁部２２には、少なくとも１つのセレーション２８が形成されている。セレーション２８は、前縁部２１にのみ形成されてもよく、後縁部２２にのみ形成されてもよい。あるいは、セレーション２８は、前縁部２１と後縁部２２との両方に形成されてもよい。セレーション２８は、回転軸ＲＳの軸方向と平行な方向に見た平面視において、前縁部２１又は後縁部２２の縁部に形成された鋸歯状、あるいは、細かい波型の溝部である。セレーション２８を構成する溝は、翼２０の縁部において気流の上流側（Ｚ１側）と下流側（Ｚ２）との間に延びるように形成されている。
【００８８】
セレーション２８は、後縁部２２では後縁第１変曲点部Ｓｅ１と、後縁第２変曲点部Ｓｅ２との間に形成されている。すなわち、セレーション２８は、後縁部２２では後縁凹部１２０ｂに形成されている。セレーション２８は、前縁部２１では前縁基部１１ａと前縁変曲点部Ｓｆ１との間に形成されている。すなわち、セレーション２８は、前縁部２１では前縁凹部１２０ａに形成されている。
【００８９】
（軸流ファン１００Ｉの作用効果）
前縁凹部１２０ａに設けられたセレーション２８は、外乱により気流方向と翼２０の先端の向きとが大きくずれた場合に、翼２０の先端の気流を乱すことで気流の向きをぼかすことができる。そのため、前縁凹部１２０ａにセレーション２８を設けた軸流ファン１００Ｉは、前縁凹部１２０ａにセレーション２８を設けていない軸流送風機と比較して、気流が前縁凹部１２０ａに流入しやすくなる。
【００９０】
後縁凹部１２０ｂに設けられたセレーション２８は、後縁凹部１２０ｂで集中した気流を乱すことで、吹出し風速が極端に高い箇所をなくすことができる。その結果、軸流ファン１００Ｉは、後縁部２２から渦ＶＴが発生しにくく、渦ＶＴの発生によるエネルギー損失を抑制することができ、更に、渦ＶＴによって発生する音の増加を抑制することができる。
【００９１】
実施の形態１０．
本実施の形態１０は、上記実施の形態１〜９の軸流ファン１００等を、送風装置としての冷凍サイクル装置７０の室外機５０に適用した場合について説明する。
【００９２】
図２１は、実施の形態１０に係る冷凍サイクル装置７０の概要図である。以下の説明では、冷凍サイクル装置７０について、空調用途に使用される場合について説明するが、冷凍サイクル装置７０は、空調用途に使用されるものに限定されるものではない。冷凍サイクル装置７０は、例えば、冷蔵庫あるいは冷凍庫、自動販売機、空気調和装置、冷凍装置、給湯器などの、冷凍用途又は空調用途に使用される。
【００９３】
図２１に示すように、冷凍サイクル装置７０は、圧縮機６４と凝縮器７２と膨張弁７４と蒸発器７３とを順番に冷媒配管で接続した冷媒回路７１を備えている。凝縮器７２には、熱交換用の空気を凝縮器７２に送風する凝縮器用ファン７２ａが配置されている。また、蒸発器７３には、熱交換用の空気を蒸発器７３に送風する蒸発器用ファン７３ａが配置されている。凝縮器用ファン７２ａ及び蒸発器用ファン７３ａの少なくとも一方は、上記実施の形態１〜９の何れかの軸流ファン１００によって構成される。なお、冷凍サイクル装置７０は、冷媒回路７１に冷媒の流れを切り替える四方弁等の流路切替装置を設け、暖房運転と冷房運転とを切り替える構成としてもよい。
【００９４】
図２２は、送風装置である室外機５０を、吹出口側から見たときの斜視図である。図２３は、上面側から室外機５０の構成を説明するための図である。図２４は、室外機５０からファングリルを外した状態を示す図である。図２５は、室外機５０からファングリル及び前面パネル等を除去して、内部構成を示す図である。
【００９５】
図２２〜図２５に示すように、ケーシングである室外機本体５１は、左右一対の側面５１ａ及び側面５１ｃ、前面５１ｂ、背面５１ｄ、上面５１ｅ並びに底面５１ｆを有する筐体として構成されている。側面５１ａ及び背面５１ｄには、外部から空気を吸込むための開口部が形成されている。また、前面５１ｂにおいては、前面パネル５２に、外部に空気を吹出すための開口部としての吹出口５３が形成されている。さらに、吹出口５３は、ファングリル５４で覆われており、それにより、室外機本体５１の外部の物体等と軸流ファン１００との接触を防止し、安全が図られている。なお、図２３の矢印ＡＲは、空気の流れを示している。
【００９６】
室外機本体５１内には、軸流ファン１００と、ファンモータ６１とが収容されている。軸流ファン１００は、背面５１ｄ側にある駆動源であるファンモータ６１と、回転軸６２を介して接続されており、このファンモータ６１によって回転駆動される。ファンモータ６１は、軸流ファン１００に駆動力を付与する。
【００９７】
室外機本体５１の内部は、壁体である仕切板５１ｇによって、軸流ファン１００が設置されている送風室５６と、圧縮機６４等が設置されている機械室５７とに分けられている。送風室５６内における側面５１ａ側と背面５１ｄ側とには、平面視、略Ｌ字状に延びるような熱交換器６８が設けられている。なお、熱交換器６８は、暖房運転時において凝縮器７２として機能し、冷房運転時において蒸発器７３として機能する。
【００９８】
送風室５６に配置された軸流ファン１００の径方向外側には、ベルマウス６３が配置されている。ベルマウス６３は、翼２０の外周端よりも外側に位置し、軸流ファン１００の回転方向に沿って環状をなしている。また、ベルマウス６３の一方側の側方には、仕切板５１ｇが位置し、他方側の側方には、熱交換器６８の一部が位置することとなる。
【００９９】
ベルマウス６３の前端は、吹出口５３の外周を囲むように室外機５０の前面パネル５２と接続している。なお、ベルマウス６３は、前面パネル５２と一体的に構成されていてもよく、あるいは、別体として、前面パネル５２につなげられる構成として用意されてもよい。このベルマウス６３によって、ベルマウス６３の吸込側と吹出側との間の流路が、吹出口５３近傍の風路として構成される。すなわち、吹出口５３近傍の風路は、ベルマウス６３によって、送風室５６内の他の空間と区切られる。
【０１００】
軸流ファン１００の吸込側に設けられている熱交換器６８は、板状の面が平行になるように並設された複数のフィンと、その並設方向に各フィンを貫通する伝熱管とを備えている。伝熱管内には、冷媒回路を循環する冷媒が流通する。本実施の形態の熱交換器６８は、伝熱管が室外機本体５１の側面５１ａと背面５１ｄとにかけてＬ字状に延び、複数段の伝熱管がフィンを貫通しながら蛇行するように構成される。また、熱交換器６８は、配管６５等を介して圧縮機６４と接続し、さらに、図示省略する室内側熱交換器及び膨張弁等と接続されて、空気調和装置の冷媒回路７１を構成する。また、機械室５７には、基板箱６６が配置されており、この基板箱６６に設けられた制御基板６７によって室外機内に搭載された機器が制御されている。
【０１０１】
（冷凍サイクル装置７０の作用効果）
本実施の形態１０においても、対応する上記実施の形態１〜９と同様な利点が得られる。例えば、上述したように軸流ファン１００〜軸流ファン１００Ｉは、翼２０の前縁部２１で受けた気流が、翼２０から気流へ力を効率よく与えられる圧力面２５の外周側を翼２０の回転方向ＤＲに沿って流れやすくするものである。この軸流ファン１００〜軸流ファン１００Ｉのいずれか１つ以上を送風装置に搭載すれば、送風装置は、高効率で送風量を増加することができる。また、圧縮機６４と熱交換器などで構成される冷凍サイクル装置７０である空気調和機又は給湯用室外機に搭載すれば、低騒音かつ高効率で熱交換器通過風量を稼ぐことができ、機器の低騒音化と省エネルギー化を実現することができる。
【０１０２】
以上の実施の形態に示した構成は、一例を示すものであり、別の公知の技術と組み合わせることも可能であるし、要旨を逸脱しない範囲で、構成の一部を省略、変更することも可能である。
【符号の説明】
【０１０３】
１０  ハブ、１０ａ  ハブ投影部、１１  基部、１１ａ  前縁基部、１１ｂ  後縁基部、２０  翼、２０ａ  翼投影部、２１  前縁部、２１ａ  前縁投影部、２２  後縁部、２２ａ  第１Ｓ字部、２２ｂ  第２Ｓ字部、２２ｃ  第３Ｓ字部、２２ｅ  後縁投影部、２３  外周縁部、２４  内周縁部、２５  圧力面、２６  負圧面、２７  切欠部、２８  セレーション、５０  室外機、５１  室外機本体、５１ａ  側面、５１ｂ  前面、５１ｃ  側面、５１ｄ  背面、５１ｅ  上面、５１ｆ  底面、５１ｇ  仕切板、５２  前面パネル、５３  吹出口、５４  ファングリル、５６  送風室、５７  機械室、６１  ファンモータ、６２  回転軸、６３  ベルマウス、６４  圧縮機、６５  配管、６６  基板箱、６７  制御基板、６８  熱交換器、７０  冷凍サイクル装置、７１  冷媒回路、７２  凝縮器、７２ａ  凝縮器用ファン、７３  蒸発器、７３ａ  蒸発器用ファン、７４  膨張弁、１００  軸流ファン、１００Ａ  軸流ファン、１００Ｂ  軸流ファン、１００Ｃ  軸流ファン、１００Ｄ  軸流ファン、１００Ｅ  軸流ファン、１００Ｆ  軸流ファン、１００Ｇ  軸流ファン、１００Ｈ  軸流ファン、１００Ｉ  軸流ファン、１２０  凹部流路、１２０ａ  前縁凹部、１２０ａ１  前縁凹部、１２０ｂ  後縁凹部、１２０ｂ１  後縁凹部、１２０ｂａ  後縁内側凹部、１２０ｂｂ  後縁外側凹部、１２０ｍ  極小点部、１２１  前縁山部、１２１ａ  極大点部、１２２ａ  第１山部、１２２ｂ  第２山部、１２２ｃ  第３山部、１２３ａ  第１極大点部、１２３ｂ  第２極大点部。
【図１】
2020234997.tif 000003
【図２】
2020234997.tif 000004
【図３】
2020234997.tif 000005
【図４】
2020234997.tif 000006
【図５】
2020234997.tif 000007
【図６】
2020234997.tif 000008
【図７】
2020234997.tif 000009
【図８】
2020234997.tif 000010
【図９】
2020234997.tif 000011
【図１０】
2020234997.tif 000012
【図１１】
2020234997.tif 000013
【図１２】
2020234997.tif 000014
【図１３】
2020234997.tif 000015
【図１４】
2020234997.tif 000016
【図１５】
2020234997.tif 000017
【図１６】
2020234997.tif 000018
【図１７】
2020234997.tif 000019
【図１８】
2020234997.tif 000020
【図１９】
2020234997.tif 000021
【図２０】
2020234997.tif 000022
【図２１】
2020234997.tif 000023
【図２２】
2020234997.tif 000024
【図２３】
2020234997.tif 000025
【図２４】
2020234997.tif 000026
【図２５】
2020234997.tif 000027
【国際調査報告】
2020234997.tif 000028
2020234997.tif 000029